(57)【特許請求の範囲】
【請求項１】
複数の板タンブラ及びサイドバーを備えるロータに所定のキーが差し込まれることにより、前記板タンブラが、前記ロータを回動可能にする回動許容位置に移動されるとともに、前記板タンブラが前記回動許容位置に移動されることにより、前記サイドバーが、前記ロータを回動可能にする回動許容位置に移動され、その一方、前記ロータに前記所定のキーが差し込まれていないとき、前記板タンブラ及び前記サイドバーが、前記ロータを回動不能にする回動規制位置に移動されるシリンダ錠であって、
前記キーは、前記板タンブラと係合可能な解錠凹部がキー表面に形成されたディンプルキーであり、前記各板タンブラは、前記解錠凹部と係合する状態又は前記キー表面と係合する状態で、前記回動許容位置に位置するように形成され、前記ロータには、前記ディンプルキーが前記ロータに差し込まれた状態に対応して、前記板タンブラが２枚ずつ前記ディンプルキーの幅方向に並ぶように収容され、前記ディンプルキーには、前記解錠凹部と係合する状態で前記回動許容位置に位置する前記板タンブラと対向するように、前記解錠凹部を形成し、同解錠凹部は、２枚ずつ前記ディンプルキーの幅方向に並ぶ前記板タンブラと対向するように、前記ディンプルキーの長さ方向において２列になるように配置されることを特徴とするシリンダ錠。
【請求項２】
前記ロータには、前記ディンプルキーの幅方向に対応して並ぶ２枚の前記板タンブラを１室で収容可能な収容室が形成されたことを特徴とする請求項１に記載のシリンダ錠。
【請求項３】
前記ディンプルキーの幅方向において隣り合う一部の前記解錠凹部同士は、点接触状態又は一部重なり合う状態になるように形成され、前記解錠凹部と係合する前記板タンブラの係合部は、前記解錠凹部に対応して前記ディンプルキーの中心線側に寄るように形成され、前記板タンブラを前記ディンプルキー側に付勢する付勢手段は、前記板タンブラの係合部に対応して、前記ディンプルキーの中心線側に寄るように前記ロータに収容されたことを特徴とする請求項１又は請求項２に記載のシリンダ錠。
【発明の詳細な説明】
【０００１】
【発明の属する技術分野】
本発明は、シリンダ錠に係り、詳しくはディンプルキーにより解錠を行うシリンダ錠に関するものである。
【０００２】
【従来の技術】
シリンダ錠には、キー表面に解錠用の凹部（解錠凹部）が形成されたディンプルキーによって解錠される構成のものがある。そして、ロータには、ディンプルキーの解錠凹部と係合可能なタンブラが収容されている。ディンプルキーがロータに差し込まれていない状態では、タンブラがスプリングの付勢力によってロータの周面より外側に押し出されるとともにロータケースに係合することにより、ロータが回動不能になる。また、正しいキーがロータに差し込まれた場合には、タンブラがディンプルキーの解錠凹部と係合して、ロータの周面より内側に引っ込み、ロータが回動可能になる。また、正しくないキーがロータに差し込まれた場合には、この正しくないキーによってタンブラがロータの外側に押し出されるとともにロータケースに係合するため、ロータが回動不能になる。
【０００３】
このようなディンプルキーを備えるシリンダ錠には、住宅用に展開されているものがあり、その構造としては、例えばピンタンブラ方式が用いられている。
【０００４】
【発明が解決しようとする課題】
ところが、ピンタンブラ方式のシリンダ錠は、部品点数が多く、精度も要求される。また、ピンタンブラ方式のシリンダ錠は、サビや埃等に対して比較的弱く、例えば自動車に取り付ける場合等のように比較的厳しい環境では作動性が低下するという問題がある。
【０００５】
このようなピンタンブラ方式より、部品点数が少なく、精度についても厳しくないとともに、サビや埃等に対して比較的強いシリンダ錠として、例えばタンブラを板状にしたシリンダ錠が考えられる。しかし、タンブラがピンではなく板状になるため、タンブラ自体が大きくなる。このため、タンブラを収容するロータが軸方向長さに長くなるとともに、ディンプルキーも長くなり、シリンダ錠の小型化が妨げられるという問題がある。
【０００６】
また、鍵違い数を確保するためにタンブラ及び解錠凹部を増やすと、ディンプルキー及びロータが一層長くなり、シリンダ錠の小型化が一層妨げられる。
本発明は前記の問題点に鑑みてなされたものであって、その目的は、鍵違い数を確保したうえで小型化できるシリンダ錠を提供することにある。
【０００７】
【課題を解決するための手段】
前記の目的を達成するために、請求項１に記載の発明では、複数の板タンブラ及びサイドバーを備えるロータに所定のキーが差し込まれることにより、前記板タンブラが、前記ロータを回動可能にする回動許容位置に移動されるとともに、前記板タンブラが前記回動許容位置に移動されることにより、前記サイドバーが、前記ロータを回動可能にする回動許容位置に移動され、その一方、前記ロータに前記所定のキーが差し込まれていないとき、前記板タンブラ及び前記サイドバーが、前記ロータを回動不能にする回動規制位置に移動されるシリンダ錠であって、前記キーは、前記板タンブラと係合可能な解錠凹部がキー表面に形成されたディンプルキーであり、前記各板タンブラは、前記解錠凹部と係合する状態又は前記キー表面と係合する状態で、前記回動許容位置に位置するように形成され、前記ロータには、前記ディンプルキーが前記ロータに差し込まれた状態に対応して、前記板タンブラが２枚ずつ前記ディンプルキーの幅方向に並ぶように収容され、前記ディンプルキーには、前記解錠凹部と係合する状態で前記回動許容位置に位置する前記板タンブラと対向するように、前記解錠凹部を形成し、同解錠凹部は、２枚ずつ前記ディンプルキーの幅方向に並ぶ前記板タンブラと対向するように、前記ディンプルキーの長さ方向において２列になるように配置されることを要旨とする。
【０００８】
この発明によれば、ロータには、ディンプルキーの幅方向に対応して２枚ずつ並ぶように板タンブラが収容され、ディンプルキーには、板タンブラに対応して、解錠凹部がディンプルキーの長さ方向において２列になるように配置される。このため、板タンブラと解錠凹部とを必要数設けて、鍵違い数を確保したうえで、ディンプルキーの長さ方向と、それに対応するロータの軸方向とにおいて、ディンプルキー及びロータを短くすることができ、シリンダ錠を小型化できる。
【０００９】
請求項２に記載の発明では、請求項１に記載の発明において、前記ロータには、前記ディンプルキーの幅方向に対応して並ぶ２枚の前記板タンブラを１室で収容可能な収容室が形成されたことを要旨とする。
【００１０】
この発明によれば、ロータには、各収容室に板タンブラが２枚ずつ収容される。このため、横方向に壁を隔てて、各１室の収容室に１枚ずつ板タンブラを収容する場合に比べて、壁がない分、ディンプルキーの幅を狭く、ロータの径を小さくでき、シリンダ錠をより小型化できる。
【００１１】
請求項３に記載の発明では、請求項１又は請求項２に記載の発明において、前記ディンプルキーの幅方向において隣り合う一部の前記解錠凹部同士は、点接触状態又は一部重なり合う状態になるように形成され、前記解錠凹部と係合する前記板タンブラの係合部は、前記解錠凹部に対応して前記ディンプルキーの中心線側に寄るように形成され、前記板タンブラを前記ディンプルキー側に付勢する付勢手段は、前記板タンブラの係合部に対応して、前記ディンプルキーの中心線側に寄るように前記ロータに収容されたことを要旨とする。
【００１２】
この発明によれば、解錠凹部が、ディンプルキーの幅方向において点接触状態又は一部重なり合う状態になるように形成されているため、ディンプルキーの幅をより狭くできる。また、板タンブラの係合部がディンプルキーの中心線側に寄るため、板タンブラを小さくできる。また、付勢手段が、板タンブラの係合部に対応してディンプルキーの中心線側に寄るようにロータに収容されるため、板タンブラの係合部をディンプルキーの解錠凹部側に付勢しやすいように付勢手段を配置したうえで、付勢手段が中心線側に寄ったため、ロータの径を小さくできる。従って、ディンプルキーの幅をより狭くできるとともに、ロータの径をより小さくできる。
【００１３】
【発明の実施の形態】
（第１の実施形態）
以下、本発明を具体化した第１の実施形態を図１〜図５に従って説明する。
【００１４】
図１はシリンダ錠の模式分解斜視図を示し、図２（ａ）はディンプルキーの模式部分側面図を示す。図２（ｂ）は図２（ａ）のIIＢ−IIＢ線模式断面図を示し、図２（ｃ）はロータと板タンブラとの関係を示す模式部分側面図である。
【００１５】
図１に示すように、シリンダ錠１１は、ディンプルキー１２、ロータ１３、ロータケース１４を備えている。ロータケース１４は、図示しない支持部に固定されている。ロータケース１４はシリンダ１４ａを備えており、このシリンダ１４ａに、円筒状のロータ１３が回動可能に収容されている。ロータ１３には、ディンプルキー１２を差し込むためのキー差込孔１６が形成されている。
【００１６】
シリンダ１４ａに収容されたロータ１３には、カバー１７が被せられている。カバー１７には、キー差込孔１８がキー差込孔１６と対向可能に形成されている。また、ロータ１３はシリンダ１４ａを貫通可能に形成されており、ロータ１３においてディンプルキー１２が差し込まれる側と反対側の端部には、車両のイグニッションを切り換え可能な図示しない作用部材が取り付け可能になっている。
【００１７】
ロータ１３には、第１板タンブラ２１、第２板タンブラ２２、第３板タンブラ２３が収容されている。第１〜第３板タンブラ２１〜２３は、それぞれ複数ロータ１３に収容されている。また、ロータ１３には、第１〜第３板タンブラ２１〜２３をロータ１３の外側に付勢する付勢手段としてのスプリング２４や、第１サイドバー２５、第２サイドバー２６が収容されている。
【００１８】
ロータ１３は、キー差込孔１６にディンプルキー１２が差し込まれた状態では、第１〜第３板タンブラ２１〜２３や第１及び第２サイドバー２５，２６がロータ１３の周面より内側に引っ込み、シリンダ１４ａに対して回動可能になるように構成されている。また、ディンプルキー１２がキー差込孔１６に差し込まれていない状態や、ディンプルキー１２と鍵違いの正しくないキーが差し込まれた状態では、第１〜第３板タンブラ２１〜２３や第１及び第２サイドバー２５，２６がロータ１３の周面の外側に突出してシリンダ１４ａと係合する。この状態で、ロータ１３は、シリンダ１４ａに対して回動不能になるように構成されている。
【００１９】
図１及び図２（ｃ）に示すように、ロータ１３には、ディンプルキー１２が差し込まれた状態で、ディンプルキー１２の先端部と対向する位置に、第１〜第３板タンブラ２１〜２３を収容するための第１収容室３１が形成されている。第１収容室３１は、板タンブラを２枚収容可能に形成されており、第１〜第３板タンブラ２１〜２３のうちのいずれか一種類の板タンブラを２枚収容可能であるとともに、異なる種類の板タンブラを２枚収容可能にもなっている。ロータ１３には、第１収容室３１からディンプルキー１２の基部側に向かって、第１収容室３１と同様の第２収容室３２、第３収容室３３、第４収容室３４、第５収容室３５が形成されている。各第２〜第５収容室３２〜３５も、それぞれ２枚の板タンブラを収容可能になっている。
【００２０】
この実施形態では、第１〜第５収容室３１〜３５は等間隔に形成されている。また、第１〜第５収容室３１〜３５は、キー差込孔１６と連通されている。
第１〜第３板タンブラ２１〜２３は、ほぼ同様な形状に形成されており、１つの板タンブラを、その中心線で２分割したような形状になっている。第１〜第３板タンブラ２１〜２３は、２枚がディンプルキー１２の幅方向に並んで向かい合うように配置されて、各第１〜第５収容室３１〜３５に収容されている。
【００２１】
ディンプルキー１２には、第１面４１と、その反対側の第２面４２の両面に、解錠凹部としての大径凹部４３と、同じく解錠凹部としての小径凹部４４とがそれぞれ複数形成されている。小径凹部４４の深さは、大径凹部４３のほぼ半分の深さに形成されている。なお、図１及び図２（ａ）では第１面４１が図示され、第２面４２は裏に隠れている。
【００２２】
ディンプルキー１２では、大径凹部４３と、小径凹部４４と、凹部が形成されていない箇所との３つの組み合わせにより、キーコードが構成されている。
また、ディンプルキー１２の先端部は、第１面４１側のガイド斜面４５と、第２面４２側のガイド斜面４６とを備え、先端が薄くなるように形成されている。
【００２３】
第１面４１及び第２面４２において、各大径凹部４３及び小径凹部４４は、それぞれの中心が、ディンプルキー１２の長さ方向に延びる第１直線Ｌ１上及び第２直線Ｌ２上の一方に位置するように形成されている。第１直線Ｌ１は、図１及び図２（ａ）において図示される第１面４１において、図中、下側に位置し、第２直線Ｌ２は、図中、上側に位置している。
【００２４】
この実施形態では、ディンプルキー１２がロータ１３に差し込まれた状態において第１収容室３１と対向するように、ディンプルキー１２の先端側に、２個の大径凹部４３が幅方向に並ぶように形成されている。また、ディンプルキー１２には、第２収容室３２と対向するように、大径凹部４３と小径凹部４４とが幅方向に並ぶように形成されており、小径凹部４４の中心は第１直線Ｌ１上に位置し、大径凹部４３の中心は第２直線Ｌ２上に位置している。
【００２５】
また、ディンプルキー１２において第３収容室３３と対向する位置には、大径凹部４３の中心が第１直線Ｌ１上に位置するように形成されており、第２直線Ｌ２上には、凹部が形成されていない。また、ディンプルキー１２において第４収容室３４と対向する位置には、小径凹部４４が第１直線Ｌ１上と第２直線Ｌ２上とに、幅方向に並ぶように形成され、第５収容室３５と対向する位置には、第１直線Ｌ１上には凹部が形成されず、第２直線Ｌ２上に大径凹部４３が形成されている。
【００２６】
ディンプルキー１２は、第１面４１と第２面４２とを判別する必要なくキー差込孔１６に差し込み可能になるように形成されている（リバーシブル仕様）。具体的には、第１面４１の大径凹部４３及び小径凹部４４と、第２面４２の大径凹部４３及び小径凹部４４とは、ディンプルキー１２を中心軸回りに１８０°回動したときに、重なるように形成されている。このため、図２（ｂ）に示すように、第２面４２において、第１面４１の第１直線Ｌ１と反対側には、第２直線Ｌ２上の大径凹部４３及び小径凹部４４と同じ配列で大径凹部４３及び小径凹部４４が形成されている。同様に、第２面４２において、第１面４１の第２直線Ｌ２と反対側には、第１直線Ｌ１上の大径凹部４３及び小径凹部４４と同じ配列で大径凹部４３及び小径凹部４４が形成されている。
【００２７】
図３は図２（ｃ）のIII −III 線模式断面図を示し、図４は同じくIV−IV線模式断面図を示す。
図３に示すように、シリンダ１４ａの内周面には、第１〜第３板タンブラ２１〜２３が係合可能な第１係合溝５１と、第２係合溝５２とが形成されている。第１及び第２係合溝５１，５２は、軸方向に延びるとともに、シリンダ１４ａの中心軸を挟んで対向するように形成されている。図３では、第１係合溝５１が右側に位置し、第２係合溝５２が左側に位置している。また、シリンダ１４ａの内周面には、第１，第２サイドバー２５，２６がそれぞれ係合可能な第３係合溝５３、第４係合溝５４が形成されている。第３及び第４係合溝５３，５４は、第１，第２サイドバー２５，２６の長さに対応して軸方向に延びるとともに、中心軸を挟んで対向し、中心軸に対して第１及び第２係合溝５１，５２となす角が９０°になる位置に形成されている。図３では、第３係合溝５３が下側に位置し、第４係合溝５４が上側に位置している。
【００２８】
各第１〜第５収容室３１〜３５は、各第１〜第３板タンブラ２１〜２３を出入り可能にするための大開口部５５を備えるとともに、中心軸を挟んで大開口部５５と反対側に、小開口部５６を備えている。小開口部５６は、その周方向の長さが、第１又は第２係合溝５１，５２の幅と同じに形成されている。図３では、小開口部５６は第２係合溝５２と対向している。
【００２９】
また、第１〜第５収容室３１〜３５には、小開口部５６の両隣に、それぞれスプリング２４の収容凹部５７が形成されている。図２（ｃ）に示すように、収容凹部５７は、その径が各第１〜第５収容室３１〜３５の幅より大きくなっている。
【００３０】
また、ロータ１３には、第１サイドバー２５を収容するための第１収容孔５８と、第２サイドバー２６を収容するための第２収容孔５９が形成されている。第１及び第２収容孔５８，５９は、第１〜第５収容室３１〜３５と連通されている。また、第１及び第２サイドバー２５，２６には、それぞれの端部に圧縮ばね６０（図１参照）が取り付けられている。圧縮ばね６０は、支持部６０ａによって径方向外側部においてロータ１３に支持されており、第１及び第２サイドバー２５，２６は、この圧縮ばね６０によりロータ１３の中心軸側に付勢されている。
【００３１】
第１板タンブラ２１は、大径凹部４３と対応するように、第１〜第５収容室３１〜３５のうちのいくつかに収容されている。また、第２板タンブラ２２は小径凹部４４と対応し、第３板タンブラ２３は、ディンプルキー１２のキー表面において凹部が形成されていない箇所に対応するように収容室に収容されている。
【００３２】
この実施形態では、図１に示すように、第１収容室３１には、第１板タンブラ２１が２枚収容されている。また、図１及び図３に示すように、第２収容室３２には、下側に第１板タンブラ２１が収容され、上側に第２板タンブラ２２が収容されている。図１に示すように、第３収容室３３には、下側に第３板タンブラ２３が収容され、上側に第１板タンブラ２１が収容されている。また、第４収容室３４には、第２板タンブラ２２が２枚収容され、図１及び図４に示すように、第５収容室３５には、下側に第１板タンブラ２１が収容され、上側に第３板タンブラ２３が収容されている。
【００３３】
各第１〜第３板タンブラ２１〜２３は、ディンプルキー１２が貫通可能な貫通孔を中央部に備えるとともに、第１係合溝５１に係合可能な第１係合突部と、第２係合溝５２に係合可能な第２係合突部とを備えた板を、第１及び第２係合突部の中心線で２分割したような形状になっている。
【００３４】
各第１〜第３板タンブラ２１〜２３は、ディンプルキー１２の断面の半分を覆うことが可能なコ字状部７０の両端部から、第１係合突部７１と、第２係合突部７２とが外側に延びる形状に形成されている。また、コ字状部７０において、第２係合突部７２が形成された端部には、解錠凹部と係合する板タンブラの係合部としての解錠突部７３が、コ字状部７０の内側に突出するように形成されている。解錠突部７３は、大径凹部４３及び小径凹部４４と係合可能に形成されている。解錠突部７３の高さは、大径凹部４３の深さとほぼ同じに形成されている。解錠突部７３は、第１〜第３板タンブラ２１〜２３において、共通の大きさ及び共通の形状に形成されている。
【００３５】
コ字状部７０は、その互いに対向する面の間の距離が、解錠突部７３の高さと、ディンプルキー１２の厚さとの合計より大きくなるように形成されている。また、第１及び第２係合突部７１，７２は、両者の幅が同じに形成されるとともに、その幅の２倍が、第１係合溝５１又は第２係合溝５２の幅とほぼ同じになるように形成されている。
【００３６】
図３に示すように、第１板タンブラ２１は、ロータ１３にディンプルキー１２が差し込まれ、解錠突部７３全体が大径凹部４３に係合する状態では、第１及び第２係合突部７１，７２がロータ１３の内側に引っ込むように形成されている。この状態では、第１板タンブラ２１は、ロータ１３の回動を許容する回動許容位置に位置している。
【００３７】
また、第１板タンブラ２１は、ロータ１３からディンプルキー１２が引き抜かれると、スプリング２４の付勢力によって第１係合突部７１がロータ１３の外側に押し出されて第１係合溝５１と係合し、ロータ１３の回動を規制するように形成されている。
【００３８】
また、正しくないキーがロータ１３に差し込まれた場合、第１板タンブラ２１の解錠突部７３は、その先端部が、大径凹部４３より浅い凹部、例えば小径凹部４４と係合したり、キー表面において凹部が形成されていない箇所と当接することがある。第１板タンブラ２１は、このような場合に、第２係合突部７２が、ロータ１３の外側に押し出されて第２係合溝５２と係合し、ロータ１３の回動を規制するように形成されている。
【００３９】
図３に示すように、第２板タンブラ２２は、ロータ１３にディンプルキー１２が差し込まれ、解錠突部７３の先端部が小径凹部４４に係合する状態では、第１及び第２係合突部７１，７２がロータ１３の内側に引っ込むように形成されている。この状態では、第２板タンブラ２２は回動許容位置に位置している。
【００４０】
第２板タンブラ２２は、ロータ１３からディンプルキー１２が引き抜かれると、スプリング２４の付勢力によって第１係合突部７１がロータ１３の外側に押し出されて第１係合溝５１と係合し、ロータ１３の回動を規制するように形成されている。
【００４１】
また、正しくないキーがロータ１３に差し込まれた場合、第２板タンブラ２２の解錠突部７３は、その先端部が、小径凹部４４より浅い凹部と係合したり、キー表面において凹部が形成されていない箇所と当接することがある。第２板タンブラ２２は、このような場合に、第２係合突部７２がロータ１３の外側に押し出されて第２係合溝５２と係合し、ロータ１３の回動を規制するように形成されている。
【００４２】
図４に示すように、第３板タンブラ２３は、ロータ１３にディンプルキー１２が差し込まれ、解錠突部７３の先端がキー表面において凹部が形成されていない箇所と当接する状態で、第１及び第２係合突部７１，７２がロータ１３の内側に引っ込むように形成されている。この状態では、第３板タンブラ２３は回動許容位置に位置している。
【００４３】
第３板タンブラ２３は、ロータ１３からディンプルキー１２が引き抜かれると、スプリング２４の付勢力によって第１係合突部７１がロータ１３の外側に押し出されて第１係合溝５１と係合し、ロータ１３の回動を規制するように形成されている。
【００４４】
また、第３板タンブラ２３は、正しくないキーがロータ１３に差し込まれ、解錠突部７３が、大径凹部４３や小径凹部４４等の凹部と係合する場合に、第１係合突部７１がロータ１３の外側に押し出されて第１係合溝５１と係合する。これにより第３板タンブラ２３は、ロータ１３の回動を規制するように形成されている。
【００４５】
また、第１，第２サイドバー２５，２６には、断面形状がほぼ三角形状の係合部７５が形成されており、第１〜第３板タンブラ２１〜２３には、係合部７５と係合可能な係合凹部７６が形成されている。係合凹部７６の断面形状は、係合部７５の断面形状と同様のほぼ三角形状に形成されている。係合凹部７６は、各第１〜第３板タンブラ２１〜２３が回動許容位置に位置する状態で、第１，第２収容孔５８，５９と対向可能な位置に形成されている。
【００４６】
第１，第２サイドバー２５，２６は、係合部７５が係合凹部７６と係合する状態では、ロータ１３内に引っ込むように形成されている。また、各第１〜第３板タンブラ２１〜２３が回動許容位置から移動して、係合凹部７６が係合部７５と対向しなくなると、第１，第２サイドバー２５，２６がロータ１３の外側に押し出されて第３，第４係合溝５３，５４に係合し、ロータ１３を回動不能にするようになっている。
【００４７】
次に、上記のように構成されたシリンダ錠の作用を説明する。
ディンプルキー１２がキー差込孔１６に差し込まれていない状態では、各スプリング２４の付勢力によって第１〜第３板タンブラ２１〜２３が第１係合溝５１側に移動し、第１係合突部７１がロータ１３の外側に押し出されて第１係合溝５１に係合する。図５（ａ）に示すように、第２収容室３２では、第１及び第２板タンブラ２１，２２の両第１係合突部７１が第１係合溝５１に係合する。この係合により、ロータ１３がシリンダ１４ａに対して回動不能な状態になる。
【００４８】
また、第１及び第２サイドバー２５，２６が係合凹部７６と係合しなくなり、ロータ１３の外側に押し出され、第３，第４係合溝５３，５４に係合する。このため、第１及び第２サイドバー２５，２６によっても、ロータ１３が回動不能になる。
【００４９】
ディンプルキー１２がロータ１３に差し込まれると、図３及び図４に示すように、第１板タンブラ２１の解錠突部７３が大径凹部４３に係合し、第２板タンブラ２２の解錠突部７３が小径凹部４４に係合する。また、第３板タンブラ２３の解錠突部７３が、ディンプルキー１２の表面において凹部が形成されていない箇所と当接する。このため、第１〜第３板タンブラ２１〜２３の第１係合突部７１がロータ１３の内側に引っ込んで第１係合溝５１と係合しなくなる。また、第１〜第３板タンブラ２１〜２３の第２係合突部７２もロータ１３の内側に引っ込んだままであり、第２係合溝５２に係合しない。
【００５０】
また、第１及び第２サイドバー２５，２６の係合部７５が係合凹部７６に係合し、第１及び第２サイドバー２５，２６がロータ１３内に引っ込み、第３及び第４係合溝５３，５４と係合しなくなる。
【００５１】
これらにより、ロータ１３がシリンダ１４ａに対して回動可能になる。ディンプルキー１２が回動され、ロータ１３がディンプルキー１２と一体で回動すると、ロータ１３の端部に取り付けられた作用部材も回動され、車両のイグニッションがオンになる。
【００５２】
また、ロータ１３に正しくないキーが差し込まれた場合、第１板タンブラ２１の解錠突部７３の先端部が、大径凹部４３より浅い凹部、例えば小径凹部４４と係合したり、キー表面において凹部が形成されていない箇所と当接する場合には、第２係合突部７２がロータ１３の外側に押し出される。そして、第２係合突部７２が第２係合溝５２と係合するため、ロータ１３の回動が規制される。
【００５３】
また、第２板タンブラ２２の解錠突部７３の先端部が、小径凹部４４より浅い凹部と係合したり、キー表面において凹部が形成されていない箇所と当接する場合には、第２係合突部７２がロータ１３の外側に押し出されて第２係合溝５２と係合するため、ロータ１３の回動が規制される。
【００５４】
また、第２板タンブラ２２の解錠突部７３が、小径凹部４４より深い凹部、例えば大径凹部４３と係合する場合には、第１係合突部７１がスプリング２４の付勢力によってロータ１３の外側に押し出されて第１係合溝５１と係合するため、ロータ１３の回動が規制される。
【００５５】
また、第３板タンブラ２３の解錠突部７３が、大径凹部４３や小径凹部４４等の凹部と係合する場合には、第１係合突部７１がスプリング２４の付勢力によってロータ１３の外側に押し出されて第１係合溝５１と係合するため、ロータ１３の回動が規制される。
【００５６】
また、第１及び第２サイドバー２５，２６が係合凹部７６と係合しなくなり、ロータ１３の外側に押し出され、第３及び第４係合溝５３，５４に係合することによっても、ロータ１３が回動不能になる。
【００５７】
図５（ｂ）に示すように、正しくないキー７８がロータ１３に差し込まれ、第２収容室３２において、第１板タンブラ２１の解錠突部７３の先端が、キーの凹部が形成されていない箇所に当接する場合、第１板タンブラ２１の第２係合突部７２は、第２係合溝５２に係合する。これにより、ロータ１３の回動が規制される。また、第１サイドバー２５が第３係合溝５３と係合するため、ロータ１３が回動不能になる。
【００５８】
また、第２板タンブラ２２の解錠突部７３が、大径凹部４３に係合する場合、スプリング２４の付勢力によって、第２板タンブラ２２の第１係合突部７１が第１係合溝５１に係合するため、これによってもロータ１３の回動が規制される。また、第２サイドバー２６が第４係合溝５４と係合することによっても、ロータ１３が回動不能になる。
【００５９】
上記のように、合計１０枚の第１〜第３板タンブラ２１〜２３のうち、少なくとも一枚の板タンブラが正しくない位置に存在することにより、ロータ１３が回動不能になる。
【００６０】
この実施形態は、以下のような効果を有する。
（１）ディンプルキー１２には、大径凹部４３及び小径凹部４４が２列になって、凹部が形成されていない箇所も含めて、幅方向に並んで形成されている。また、ロータ１３には、ディンプルキー１２の大径凹部４３、小径凹部４４及び凹部が形成されていない箇所の３タイプに対応して、第１〜第３板タンブラ２１〜２３が収容されている。このため、鍵違い数を確保したうえで、ディンプルキー１２の長さ及びロータ１３、ロータケース１４の軸方向長さを短くでき、シリンダ錠１１の軸方向長さを短くできる。
【００６１】
（２）ロータ１３には、各第１〜第５収容室３１〜３５に第１〜第３板タンブラ２１〜２３が２枚ずつ横方向に並べて収容されている。このため、横方向に壁を隔てて第１〜第３板タンブラ２１〜２３を収容する場合に比べて、壁がない分、ディンプルキー１２の幅を狭くできるとともに、ロータ１３、ロータケース１４の径を小さくでき、シリンダ錠１１を小型化できる。また、壁を隔てて収容室を１０個形成する場合に比べて、第１〜第５収容室３１〜３５は５個のため、ロータ１３に収容室を形成する手間を少なくできる。
【００６２】
（３）ロータ１３には、第１〜第３板タンブラ２１〜２３が収容されており、ピンタンブラ方式に比べて部品点数を少なくできる。また、精度に対する要求の高さを低くできる。また、ピンタンブラ方式に比べて、サビやほこり等による作動性の低下を低減できる。このため、環境が比較的厳しい自動車にも対応してシリンダ錠を取り付けできる。
【００６３】
（４）第１〜第３板タンブラ２１〜２３には、ピンタンブラでは組み合わせできなかった第１及び第２サイドバー２５，２６が組み合わされており、第１及び第２サイドバー２５，２６よっても、ロータ１３が回動不能になるように構成されている。第１及び第２サイドバー２５，２６はキー差込孔１８から見えない位置に取り付けられているため、シリンダ錠１１の対ピッキング性を向上できる。
【００６４】
（第２の実施形態）
次に、第２の実施形態を図６及び図７に従って説明する。この実施形態では、大径凹部の一部がキーの中心線を越えるとともに、大径凹部と小径凹部とが、縁部において重なったり点接触するように形成されている点が前記実施形態と異なっている。前記実施形態と同様の部分については同一番号を付してその詳細な説明を省略する。
【００６５】
図６は第２の実施形態のディンプルキーの模式部分側面図を示し、図７は図６のＶII−ＶII線模式断面図を示す。
図６に示すように、この実施形態のディンプルキー８０では、大径凹部４３はその一部がディンプルキー８０の中心線Ｍを越えるように配置されている。ディンプルキー８０において最も先端側で幅方向に並ぶ２個の大径凹部４３は、ともにディンプルキー８０の中心線Ｍを越え、縁部が一部重なっている。また、先端から２番目において、幅方向に並ぶ大径凹部４３と小径凹部４４とは、ほぼ点接触している。
【００６６】
このように、大径凹部４３及び小径凹部４４は、ディンプルキー８０の幅方向において一部が重なったり点接触するように配置されており、ディンプルキー８０の幅はディンプルキー１２の幅より狭く形成されている。
【００６７】
図７に示すように、この実施形態の第１板タンブラ８１及び第２板タンブラ８２は、ディンプルキー８０の幅がディンプルキー１２の幅より狭くなっていることにより、第１係合突部７１が延びる方向と直交する方向において、第１の実施形態の第１，第２板タンブラ２１，２２より小さく形成できる。
【００６８】
また、第１及び第２板タンブラ８１，８２の解錠突部７３は、第１の実施形態の場合より、ディンプルキー８０の中心線Ｍ側に寄るように、互いに近づいて第２収容室３２内に収容されるように形成されている。また、第１及び第２板タンブラ８１，８２には第２係合突部７２が形成されていない。この実施形態のロータ８３には、小開口部５６が形成されず、スプリング２４の収容凹部５７が、解錠突部７３に対応して中心線Ｍ側に寄るように、互いに近づいて隣り合うように形成されている。スプリング２４は、各解錠突部７３を付勢しやすいように、解錠突部７３に対応して中心線Ｍ側に寄って収容凹部５７に収容されている。
【００６９】
また、第３板タンブラも、第１の実施形態より小さく形成されるとともに、第２係合突部７２が形成されていない形状になっている。この実施形態のロータ８３及びロータケース８４の径は、第１の実施形態の各ロータ１３、ロータケース１４よりそれぞれ小さく形成されている。
【００７０】
また、図６に示すように、大径凹部４３及び小径凹部４４は、ディンプルキー８０の長さ方向においても、一部が重なったり点接触するように配置されている。図６において下側の第１直線Ｌ１上で、交互に配置された大径凹部４３及び小径凹部４４は、ほぼ点接触するように配置されている。また、図６において上側の第２直線Ｌ２上で、最も先端側の大径凹部４３と、２番目の大径凹部４３とは、縁部において一部重なり、先端から４番目の小径凹部４４と、５番目の大径凹部４３とは、ほぼ点接触するように配置されている。
【００７１】
このような大径凹部４３及び小径凹部４４の配置により、ディンプルキー８０の長さは、ディンプルキー１２の長さより短く形成されている。また、ディンプルキー８０における大径凹部４３及び小径凹部４４の配置に対応して、第１〜第５収容室３１〜３５が、第１の実施形態の場合より軸方向に互いに近づいて形成されている。このため、ロータ８３及びロータケース８４の軸方向長さも、それぞれロータ１３、ロータケース１４より短く形成され、この実施形態のシリンダ錠は、軸方向長さにおいてもシリンダ錠１１より短くなっている。
【００７２】
この実施形態のシリンダ錠でも、ディンプルキー８０がロータ８３に差し込まれていない状態では、スプリング２４の付勢力によって第１，第２板タンブラ８１，８２及び第３板タンブラの第１係合突部７１がロータ８３の外側に突出して第１係合溝５１に係合することによって、ロータ８３が回動不能になる。また、第１及び第２サイドバー２５，２６がロータ１３の外側に突出して第３，第４係合溝５３，５４に係合することによっても、ロータ８３が回動不能になる。
【００７３】
また、ディンプルキー８０と異なるキーがロータ８３に差し込まれて、第１板タンブラ８１、第２板タンブラ８２、第３板タンブラがそれぞれ、図７に示す状態から、スプリング２４の付勢方向と反対側に移動する場合には、第１及び第２サイドバー２５，２６がロータ８３から突出する。また、第１及び第２サイドバー２５，２６が第３，第４係合溝５３，５４に係合することによっても、ロータ８３が回動不能になる。
【００７４】
この実施形態によれば、前記実施形態の（１）〜（４）の効果の他に、以下のような効果を有する。
（５）ディンプルキー８０には、大径凹部４３の一部がディンプルキー８０の中心線Ｍを越えるように配置されているため、第１の実施形態のディンプルキー１２に比べてキーの幅を狭くできる。また、それに伴ってロータ８３、ロータケース８４の径を、第１の実施形態のロータ１３、ロータケース１４より小さくできる。
【００７５】
（６）ディンプルキー８０には、大径凹部４３及び小径凹部４４がディンプルキー８０の長さ方向において一部が重なるように配置されているため、第１の実施形態のディンプルキー１２と鍵違い数が同じでも、キーの長さを短くできる。また、それに伴って、ロータ８３、ロータケース８４の軸方向長さを、第１の実施形態のロータ１３、ロータケース１４より短くでき、シリンダ錠の軸方向長さを第１の実施形態より短くできる。
【００７６】
なお、実施形態は上記に限らず、例えば以下のように変更してもよい。
・ディンプルキー１２，８０に形成される大径，小径凹部４３，４４及び凹部が形成されていない部分の組み合わせは、上記の場合に限られず、２列にするのであれば、他の組み合わせに形成してもよい。第１〜第３板タンブラ２１〜２３は、その組み合わせに対応するように第１〜第５収容室３１〜３５に収容する。
【００７７】
・各第１〜第５収容室３１〜３５は、大開口部５５が第１係合溝５１側になり、小開口部５６が第２係合溝５２側になるようにロータ１３に形成されることに限られない。例えば上記と逆になるように、大開口部５５が第２係合溝５２側になり、小開口部５６が第１係合溝５１側になるようにロータ１３に形成してもよい。そして、スプリング２４の収容凹部５７も第１係合溝５１側に形成して、スプリング２４及び第１〜第３板タンブラ２１〜２３を、上記と逆向きに各収容室に収容してもよい。
【００７８】
・各収容室内の２つの板タンブラが、ともに第１係合溝５１側に付勢されるように各収容室に収容されるように、各第１〜第５収容室３１〜３５が線対称な形状に形成されることに限られない。例えば、各収容室内の２つの板タンブラのうち、一方が第１係合溝５１側に付勢され、他方が第２係合溝５２側に付勢されるように収容できるように、各第１〜第５収容室３１〜３５を点対称な形状に形成する。そして、２つのスプリング２４を互いに反対側からロータ１３内に収容するとともに、２つの板タンブラを互いに反対側からロータ１３内に収容してもよい。
【００７９】
・第２の実施形態において、大径凹部４３及び小径凹部４４は、ディンプルキー８０の軸方向において一部が重なったり点接触になるように配置されることに限られず、例えば軸方向において離れて配置してもよい。
【００８０】
・第１の実施形態において、大径凹部４３及び小径凹部４４は、ディンプルキー１２の長さ方向において離れて配置されることに限られず、例えば長さ方向において一部が重なったり点接触になるように配置してもよい。
【００８１】
・ディンプルキー１２，８０に形成される解錠凹部は、大径凹部４３と、小径凹部４４との２種類に形成されることに限られず、３種類以上に形成してもよい。この場合、板タンブラの種類の数も、解錠凹部の種類の数に対応させて形成する。また、解錠凹部の大きさは一種類にしてもよい。
【００８２】
・第１の実施形態において、第１及び第２サイドバー２５，２６が備えられることに限られず、例えばいずれか一方を備えなくてもよい。また、第１及び第２サイドバー２５，２６の両方を備えなくてもよい。
【００８３】
・第２の実施形態において、板タンブラには、第１係合突部７１と反対側において、例えばスプリングの隣に位置するように、板タンブラの摺動方向に延び、ロータ１３の外側に向かうように係合突部を形成してもよい。そして、ロータの対応する箇所に、収容室からロータの外側に貫通する貫通孔を形成し、この貫通孔に対向するように、シリンダ１４ａの内周面に係合凹部を形成する。この構成では、板タンブラがスプリングの付勢方向と反対向きに移動した場合には、前記係合突部が係合凹部に係合するため、この係合によっても、ロータ１３の回動が不能になる。この場合、第１，第２サイドバー２５，２６を組付けなくてもよい。
【００８４】
・第１の実施形態において、第１，第２サイドバー２５，２６が備えられている場合、第１係合突部７１又は第２係合突部７２を形成しなくてもよい。また、第１係合突部７１及び第２係合突部７２の両方を形成しなくてもよい。
【００８５】
・第２の実施形態において、第１，第２サイドバー２５，２６が備えられている場合、第１係合突部７１を形成しなくてもよい。
・第１及び第２の実施形態において、板タンブラを収容するロータの収容室は、５室に形成されることに限られず、例えば４室以下に形成してもよい。また、６室以上に形成してもよい。
【００８６】
・第１及び第２の実施形態において、第１〜第５収容室３１〜３５は、隣り合う収容室間の間隔が等間隔になるように形成されることに限られず、例えば各間隔が異なるように形成し、その第１〜第５収容室の間隔に対応させてディンプルキー１２の解錠凹部の間隔を決めてもよい。
【００８７】
・第１及び第２の実施形態において、第１〜第３板タンブラは、ロータに形成された１つの収容室に２枚収容されることに限られず、例えば第１〜第５収容室の各収容室を、中心線に沿って壁で区画して、その各１つの収容室に１枚ずつ板タンブラを収容してもよい。
【００８８】
・ディンプルキー１２，８０は、ディンプルキー１２，８０を１８０°回動させたときに、第１面４１に形成される大径凹部４３及び小径凹部４４と、第２面４２に形成される大径凹部４３及び小径凹部４４とが重なるようにリバーシブルに形成されることに限られない。例えば、第１面４１及び第２面４２の一方にのみ大径凹部４３及び小径凹部４４を形成し、他方の面には凹部を形成しなくてもよい。
【００８９】
・シリンダ錠１１は、車両のイグニッション装置に取り付けられることに限られず、例えば、車両のドアロック装置に取り付け、ロータ１３に取り付けられる作用部材をドアロック装置に接続してもよい。
【００９０】
・シリンダ錠１１は、車両のイグニッション装置やドア等、車両に取り付けられることに限られず、他の用途に使用してもよい。例えば住宅のドア等に取り付けてもよい。
【００９１】
次に、上記実施形態から把握できる技術的思想について、以下に追記する。
（１）  前記シリンダ錠において、前記ディンプルキーの長さ方向において隣り合う一部の前記解錠凹部同士は、点接触状態及び一部重なり合う状態のいずれか一方になるように形成されている。
【００９２】
（２）  前記シリンダ錠において、前記板タンブラには、前記板タンブラが前記回動許容位置以外に位置するときに前記ロータの外側に飛び出して前記ロータを回動不能にするサイドバーが組み付けられている。
【００９３】
【発明の効果】
以上、詳述したように、請求項１〜請求項３に記載の発明によれば、鍵違い数を確保したうえで小型化できる。
【図面の簡単な説明】
【図１】シリンダ錠の模式分解斜視図。
【図２】（ａ）はディンプルキーの模式部分側面図、（ｂ）は（ａ）のIIＢ−IIＢ線模式断面図、（ｃ）はロータと板タンブラとの関係を示す模式部分側面図。
【図３】図２（ｃ）のIII −III 線模式断面図。
【図４】同じくIV−IV線模式断面図。
【図５】（ａ）はキーを差し込んでいない状態のシリンダ錠の模式断面図、（ｂ）は正しくないキーを差し込んだ状態のシリンダ錠の模式断面図。
【図６】第２の実施形態のディンプルキーの模式部分側面図。
【図７】図６のＶII−ＶII線模式断面図。
【符号の説明】
１１…シリンダ錠、１２，８０…ディンプルキー、１３，８３…ロータ、２１〜２３…第１〜第３板タンブラ、２４…付勢手段としてのスプリング、２５，２６…第１，第２サイドバー、３１〜３５…第１〜第５収容室、４３…解錠凹部としての大径凹部、４４…同じく小径凹部、Ｍ…中心線、７３…解錠凹部と係合する板タンブラの係合部としての解錠突部、８１，８２…第１，第２板タンブラ。
【図１】
0004391718.tif 000002
【図２】
0004391718.tif 000003
【図３】
0004391718.tif 000004
【図４】
0004391718.tif 000005
【図５】
0004391718.tif 000006
【図６】
0004391718.tif 000007
【図７】
0004391718.tif 000008